(57)【要約】      （修正有）【課題】研磨終点の検出または研磨速度の制御を容易にする。【解決手段】研磨を制御する方法は、基板を研磨すること７０２、研磨中に、インシトゥ分光モニタシステムを使用して基板をモニタリングして、一連の測定スペクトルを生成すること７０６ａ、測定スペクトルの中から全てではないスペクトルを選択して、選択された一連のスペクトルを生成すること７０６ｂ、選択された一連のスペクトルから一連の値を生成すること７０６ｃ、および前記一連の値に基づいて、研磨終点または研磨速度の調整のうちの少なくとも一方を決定することを含む。【選択図】図６
2014086733.tif 000002
【特許請求の範囲】
【請求項１】
研磨を制御する方法であって、
基板を研磨すること、
研磨中に、インシトゥ分光モニタシステムを使用して前記基板をモニタリングして、一連の測定スペクトルを生成すること、
前記測定スペクトルの中から全てではないスペクトルを選択して、選択された一連のスペクトルを生成すること、
前記選択された一連のスペクトルから一連の値を生成すること、および
前記一連の値に基づいて、研磨終点または研磨速度の調整のうちの少なくとも一方を決定すること
を含む方法。
【請求項２】
前記測定スペクトルの中から全てではないスペクトルを選択することが、前記一連の測定スペクトルのうちのそれぞれの測定スペクトルをベースラインスペクトルと比較することを含む、請求項１に記載の方法。
【請求項３】
前記ベースラインスペクトルが、経験的に決定され、光学モデルから計算され、または文献から引用される、請求項２に記載の方法。
【請求項４】
前記ベースラインスペクトルが、前記インシトゥモニタシステムによって生成される測定スポットよりも小さな測定スポットを生成する分光計測システムを使用して経験的に決定される、請求項３に記載の方法。
【請求項５】
比較することが、それぞれの測定スペクトルと前記ベースラインスペクトルとの間の平方和の差、絶対差の和、または相互相関を計算することを含む、請求項２に記載の方法。
【請求項６】
前記測定スペクトルの中から全てではないスペクトルを選択することは、測定スペクトル中にある特徴の存在または不存在を決定することを含む、請求項１に記載の方法。
【請求項７】
前記特徴が、特定の波長範囲内のピーク、谷または変曲点を含む、請求項６に記載の方法。
【請求項８】
前記特徴が、あるレベルよりも上の大きさを持ったピーク、またはあるレベルよりも下の大きさを持った谷を含む、請求項６に記載の方法。
【請求項９】
前記特徴が、ある特定の範囲内のある波長距離だけ分離されたピークまたは谷を含む、請求項６に記載の方法。
【請求項１０】
前記測定スペクトルの中から全てではないスペクトルを選択することが、前記一連の測定スペクトルのうちの以前の測定スペクトルと比較して、ある特徴の存在または不存在を決定することを含む、請求項１に記載の方法。
【請求項１１】
選択することが、前記以前の測定スペクトルに比べて、測定スペクトルのピークまたは谷が、ある所定の範囲内のある量だけ移動したかどうかを決定することを含む、請求項１０に記載の方法。
【請求項１２】
選択することが、前記以前の測定スペクトルに比べて、測定スペクトルの複数のピークまたは谷が同じ方向へ移動したかどうかを決定することを含む、請求項１に記載の方法。
【請求項１３】
前記測定スペクトルの中から全てではないスペクトルを選択することが、ダイの中の測定の位置を計算することを含む、請求項１に記載の方法。
【請求項１４】
前記測定スペクトルの中から全てではないスペクトルを選択することが、前記測定の前記位置が所定の領域内にあるかどうかを決定することを含む、請求項１３に記載の方法。
【請求項１５】
研磨を制御する方法であって、
基板を研磨すること、
研磨中に、インシトゥ分光モニタシステムを使用して前記基板をモニタリングして、一連の測定スペクトルを生成すること、
前記測定スペクトルに基づいて前記測定スペクトルを複数のグループに分類して、前記複数のグループのうちの第１のグループに対応する第１の一連のスペクトルと、前記複数のグループのうちの第２のグループに対応する第２の一連のスペクトルとを生成すること、
前記第１の一連のスペクトルから第１の一連の値を、第１のアルゴリズムに基づいて生成すること、
前記第２の一連のスペクトルから第２の一連の値を、異なる第２のアルゴリズムに基づいて生成すること、および
前記第１の一連の値および前記第２の一連の値に基づいて、研磨終点または研磨速度の調整のうちの少なくとも一方を決定すること
を含む方法。
【請求項１６】
前記測定スペクトルを分類することが、それぞれの測定スペクトルをベースラインスペクトルと比較することを含む、請求項１５に記載の方法。
【請求項１７】
前記測定スペクトルを分類することが、それぞれのスペクトル中にある特徴の存在または不存在を決定することを含む、請求項１５に記載の方法。
【請求項１８】
前記第１のアルゴリズムが、前記第１のグループ内のそれぞれの測定スペクトルに対して、参照スペクトルのライブラリの中からマッチする参照スペクトルを識別することを含み、前記第２のアルゴリズムが、前記第２のグループ内のそれぞれの測定スペクトルに対して、スペクトル特徴の特性を追跡することを含む、請求項１５に記載の方法。
【請求項１９】
前記第１のアルゴリズムが、前記第１のグループ内のそれぞれの測定スペクトルに対して、測定スペクトルに光学モデルを当てはめることを含み、前記第２のアルゴリズムが、前記第２のグループ内の測定スペクトルに対して、参照スペクトルのライブラリの中からマッチする参照スペクトルを識別すること、またはスペクトル特徴の特性を追跡することを含む、請求項１５に記載の方法。
【請求項２０】
前記第１のアルゴリズムが、前記第１のグループ内のそれぞれの測定スペクトルに対して、測定スペクトルに第１の光学モデルを当てはめることを含み、前記第２のアルゴリズムが、前記第２のグループ内のそれぞれの測定スペクトルに対して、測定スペクトルに異なる第２の光学モデルを当てはめることを含む、請求項１５に記載の方法。
【発明の詳細な説明】
【技術分野】
【０００１】
本開示は、基板処理中の光学モニタリングに関する。
【背景技術】
【０００２】
集積回路は通常、シリコンウエハ上に複数の導電層、半導体層または絶縁層を逐次的に堆積させることによって基板上に形成される。さまざまな製造プロセスで基板上の層の平坦化が必要である。例えば、ある種の用途、例えばパターン形成された層のトレンチの中にバイア、プラグおよびラインを形成するための金属層の研磨では、パターン形成された層の上面が露出するまでその上の層を平坦化する。他の用途、例えばフォトリソグラフィのための誘電体層の平坦化では、ある下層の上に所望の厚さの層が残るまでその上の層を研磨する。
【０００３】
化学機械研磨（ＣＭＰ）は一般に認められた１つの平坦化法である。この平坦化法では通常、キャリアヘッドまたは研磨ヘッドに基板を取り付ける必要がある。基板は通常、回転する研磨パッドに基板の露出した表面が当たるように配置される。キャリアヘッドが制御可能なある荷重を基板に加えて、基板を研磨パッドに押しつける。研磨パッドの表面には通常、研磨材である研磨スラリが供給される。
【０００４】
ＣＭＰの１つの課題は、研磨プロセスが完了したかどうか、すなわち基板層が所望の平面度または厚さに平坦化されたかどうかまたは所望の量の材料が除去されたかどうかの決定にある。スラリの分布、研磨パッドの状態、研磨パッドと基板の間の相対速度および基板に加わる荷重の変動によって材料除去速度が変動することがある。これらの変動および基板層の最初の厚さのばらつきによって、研磨終点に到達するまでに必要な時間は変わってくる。したがって、研磨の終点を単に研磨時間だけで決めると、ウエハ内不均一（ｗｉｔｈｉｎ−ｗａｆｅｒ  ｎｏｎ−ｕｎｉｆｏｒｍｉｔｙ）（ＷＩＷＮＵ）およびウエハ間不均一（ｗａｆｅｒ−ｔｏ−ｗａｆｅｒ  ｎｏｎ−ｕｎｉｆｏｒｍｉｔｙ）（ＷＴＷＮＵ）の状態になることがある。
【０００５】
いくつかのシステムでは、基板を、研磨中にその場で（ｉｎ−ｓｉｔｕ）、例えば研磨パッドの窓を通して、光学的にモニタリングする。しかしながら、既存の光学モニタリング技法は、半導体デバイス製造業者のますます増大する要求を満たすことができない。
【先行技術文献】
【特許文献】
【０００６】
【特許文献１】米国特許出願第１３／０９６，７７７号
【特許文献２】米国特許出願第１３／４５６，０３５号
【特許文献３】米国特許出願第１３／５５２，３７７号
【特許文献４】米国特許出願公開第２０１０−０２１７４３０号
【特許文献５】米国特許出願公開第２０１１−０２５６８０５号
【特許文献６】米国特許出願第６１／６０８，２８４号
【特許文献７】米国特許出願第１３／４５４，００２号
【発明の概要】
【発明が解決しようとする課題】
【０００７】
いくつかのインシトゥモニタリングプロセスでは、基板からの一連のスペクトルを測定する。しかしながら、基板と光線の間の相対運動のため、それらのスペクトルが、基板上の異なる位置で測定したものとなることがある。その結果として、モニタリングの対象基板がパターン形成された基板である場合には、それらの異なる位置が、異なるスペクトルを与える異なる層スタックに対応する場合がある。さらに、個々のスペクトルが、異なる層スタックを含む複数の領域からの反射が結合したものであることもある。このことは、研磨終点の検出または研磨速度の制御を困難にする。
【０００８】
しかしながら、それらのスペクトルをさまざまな特徴に基づいて分類し、目的のスペクトルを選択し、研磨終点または研磨速度の制御は、選択したスペクトルに基づくことができる。
【課題を解決するための手段】
【０００９】
一態様では、研磨を制御する方法が、基板を研磨すること、研磨中に、インシトゥ分光モニタシステムを使用して基板をモニタリングして、一連の測定されたスペクトル（以後、測定スペクトル）を生成すること、測定スペクトルの中から全てではないスペクトルを選択して、選択された一連のスペクトルを生成すること、選択された一連のスペクトルから一連の値を生成すること、および前記一連の値に基づいて、研磨終点または研磨速度の調整のうちの少なくとも一方を決定することを含む。
【００１０】
実施態様は、以下の特徴のうちの１つまたは複数の特徴を含むことができる。測定スペクトルの中から全てではないスペクトルを選択することは、前記一連の測定スペクトルのうちのそれぞれの測定スペクトルをベースラインスペクトルと比較することを含むことができる。ベースラインスペクトルは、経験的に決定し、または光学モデルから計算し、または文献から引用することができる。ベースラインスペクトルは、インシトゥモニタシステムによって生成される測定スポットよりも小さな測定スポットを生成する分光計測システム（ｓｐｅｃｔｒｏｇｒａｈｉｃ  ｍｅｔｒｏｌｏｇｙ  ｓｙｓｔｅｍ）を使用して経験的に決定することができる。比較することは、それぞれの測定スペクトルとベースラインスペクトルとの間の平方和の差、絶対差の和または相互相関を計算することを含むことができる。測定スペクトルの中から全てではないスペクトルを選択することは、測定スペクトル中にある特徴の存在または不存在を決定することを含むことができる。この特徴は、特定の波長範囲内のピーク、谷または変曲点とすることができる。この特徴は、あるレベルよりも上の大きさを持ったピーク、またはあるレベルよりも下の大きさを持った谷を含む。この特徴は、ある特定の範囲内のある波長距離だけ分離されたピークまたは谷とすることができる。測定スペクトルの中から全てではないスペクトルを選択することは、前記一連の測定スペクトルのうちの以前の測定スペクトルと比較して、ある特徴の存在または不存在を決定することを含むことができる。選択することは、以前の測定スペクトルに比べて、測定スペクトルのピークまたは谷が、ある所定の範囲内のある量だけ移動したかどうかを決定することを含むことができる。選択することは、以前の測定スペクトルに比べて、測定スペクトルの複数のピークまたは谷が同じ方向へ移動したかどうかを決定することを含むことができる。測定スペクトルの中から全てではないスペクトルを選択することは、ダイの中の測定の位置を計算することを含むことができる。測定スペクトルの中から全てではないスペクトルを選択することは、前記測定の前記位置がダイの中の所定の領域内にあるかどうかを決定することを含むことができる。
【００１１】
他の態様では、研磨を制御する方法が、基板を研磨すること、研磨中に、インシトゥ分光モニタシステムを使用して基板をモニタリングして、一連の測定スペクトルを生成すること、前記測定スペクトルに基づいて前記測定スペクトルを複数のグループに分類して、前記複数のグループのうちの第１のグループに対応する第１の一連のスペクトルと、前記複数のグループのうちの第２のグループに対応する第２の一連のスペクトルとを生成すること、第１の一連のスペクトルから第１の一連の値を、第１のアルゴリズムに基づいて生成すること、第２の一連のスペクトルから第２の一連の値を、異なる第２のアルゴリズムに基づいて生成すること、および第１の一連の値および第２の一連の値に基づいて、研磨終点または研磨速度の調整のうちの少なくとも一方を決定することを含む。
【００１２】
実施態様は、以下の特徴のうちの１つまたは複数の特徴を含むことができる。測定スペクトルを分類することは、それぞれの測定スペクトルをベースラインスペクトルと比較することを含むことができる。測定スペクトルを分類することは、それぞれのスペクトル中にある特徴の存在または不存在を決定することを含むことができる。第１のアルゴリズムは、第１のグループ内のそれぞれの測定スペクトルに対して、参照スペクトルのライブラリの中からマッチする参照スペクトルを識別することを含むことができ、第２のアルゴリズムは、第２のグループ内のそれぞれの測定スペクトルに対して、スペクトル特徴の特性を追跡することを含むことができる。第１のアルゴリズムは、第１のグループ内のそれぞれの測定スペクトルに対して、測定スペクトルに光学モデルを当てはめることを含むことができ、第２のアルゴリズムは、第２のグループ内の測定スペクトルに対して、参照スペクトルのライブラリの中からマッチする参照スペクトルを識別すること、またはスペクトル特徴の特性を追跡することを含むことができる。第１のアルゴリズムは、第１のグループ内のそれぞれの測定スペクトルに対して、測定スペクトルに第１の光学モデルを当てはめることを含むことができ、第２のアルゴリズムは、第２のグループ内のそれぞれの測定スペクトルに対して、測定スペクトルに異なる第２の光学モデルを当てはめることを含むことができる。
【００１３】
他の態様では、機械可読の記憶装置内に実際に具体化された非一時的コンピュータプログラム製品が、この方法を実行するための命令を含む。
【発明の効果】
【００１４】
実施態様は、以下の利点のうちの１つまたは複数の利点を任意に含むことができる。所望の研磨終点を検出する終点検出システムの信頼性を向上させることができ、厚さのウエハ内不均一（ＷＩＷＮＵ）およびウエハ間不均一（ＷＴＷＮＵ）を低減させることができる。
【００１５】
１つまたは複数の実施態様の詳細が、添付図面および以下の説明に示されている。以上に述べた以外の態様、特徴および利点は、以下の説明および添付図面ならびに特許請求の範囲から明白になる。
【図面の簡単な説明】
【００１６】
【図１】研摩装置の一例の略断面図である。
【図２】インシトゥ光学モニタシステムによる測定スペクトルを示す図である。
【図３】基板上の一連のスペクトル測定の経路を示す図である。
【図４】インシトゥ光学モニタシステムによって生成された一連の値を示す図である。
【図５】図４の一連の値のうちの少なくともいくつかの値に対する関数の当てはめを示す図である。
【図６】研磨操作を制御するプロセスの一例の流れ図である。
【発明を実施するための形態】
【００１７】
これらのさまざまな図面中の同様の参照符号および記号表示は同様の要素を示す。
【００１８】
図１は、研磨装置の一例１００を示す。研磨装置１００は、回転可能な円盤形のプラテン１２０を含み、プラテン１２０上には研磨パッド１１０が位置する。このプラテンは、軸１２５を軸に回転するように動作可能である。例えば、プラテン１２０を回転させるために、モータ１２１が駆動シャフト１２４を回転させることができる。研磨パッド１１０は、外側の研磨層１１２とそれよりも軟らかいバッキング層１１４とを有する２層研磨パッドとすることができる。
【００１９】
研磨装置１００は、スラリなどの研磨液１３２を研磨パッド１１０の表面に分配するためのポート１３０を含むことができる。研磨装置はさらに、研磨パッド１１０の状態を終始一貫した研磨状態に維持するために研磨パッド１１０を研磨する研磨パッドコンディショナーを含むことができる。
【００２０】
研磨装置１００は、少なくとも１つのキャリアヘッド１４０を含む。キャリアヘッド１４０は、研磨パッド１１０に当たるように基板１０を保持するように動作可能である。キャリアヘッド１４０は、それぞれの基板に関連した研磨パラメータ、例えば圧力を独立に制御することができる。
【００２１】
具体的には、キャリアヘッド１４０は、柔軟な膜１４４の下に基板１０を保持する保持リング１４２を含むことができる。キャリアヘッド１４０はさらに、その膜によって画定された独立に制御可能な複数の加圧可能チャンバ、例えば３つのチャンバ１４６ａ〜１４６ｃを含み、これらのチャンバは、独立に制御可能な圧力を柔軟な膜１４４の関連ゾーンに加えることができ、したがってそのような圧力を基板１０に加えることができる。分かりやすくするために図１には３つのチャンバだけが示されているが、１つもしくは２つのチャンバ、または４つ以上のチャンバ、例えば５つのチャンバを配置することもできる。
【００２２】
キャリアヘッド１４０は、支持構造体１５０、例えばカルーセル（ｃａｒｏｕｓｅｌ）またはトラック（ｔｒａｃｋ）から吊り下げられており、駆動シャフト１５２によってキャリアヘッド回転モータ１５４に接続されている。そのため、キャリアヘッドは軸１５５を軸に回転することができる。任意選択で、キャリアヘッド１４０は、例えばカルーセル１５０またはトラックのスライダ上で、またはカルーセル自体の回転振動によって横方向に振動することができる。動作時、プラテンは、プラテンの中心軸１２５を軸に回転し、キャリアヘッドは、キャリアヘッドの中心軸１５５を軸に回転し、同時に、研磨パッドの上面を横切って横方向に平行移動する。
【００２３】
１つのキャリアヘッド１４０だけが示されているが、研磨パッド１１０の表面積を効率的に使用することができるように、２つ以上のキャリアヘッドを配置して追加の基板を保持することもできる。
【００２４】
この研磨装置はさらにインシトゥモニタシステム１６０を含む。このインシトゥモニタシステムは、基板上の層の厚さによって決まる時間変化する一連の値を生成する。
【００２５】
インシトゥモニタシステム１６０は光学モニタシステムである。具体的には、インシトゥモニタシステム１６０は、研磨中に基板から反射した一連の光スペクトルを測定する。
【００２６】
開孔（すなわちパッドを貫通する孔）または中実の窓１１８を含めることによって、研磨パッドを貫通する光進入口１０８を提供することができる。中実の窓１１８は、例えば研磨パッドの開孔を塞ぐ栓、例えば研磨パッドに成形された栓または研磨パッドに接着剤で固定された栓として、研磨パッド１１０に固定することができるが、いくつかの実施態様では、プラテン１２０上に中実の窓が支持され、研磨パッドの開孔内へ中実の窓が突き出る。
【００２７】
光学モニタシステム１６０は、光源１６２と、光検出器１６４と、リモートコントローラ１９０、例えばコンピュータと光源１６２および光検出器１６４との間で信号をやり取りするための回路１６６とを含むことができる。１本または数本の光ファイバを使用して、光源１６２からの光を研磨パッドの光進入口へ伝送し、基板１０から反射した光を検出器１６４へ伝送することができる。例えば、２叉の光ファイバ１７０を使用して、光源１６２からの光を基板１０へ伝送し、基板１０からの光を検出器１６４へ伝送することができる。この２叉光ファイバは、光進入口の近くに位置する幹線１７２と、それぞれ光源１６２および検出器１６４に接続された２本の枝線１７４および１７６とを含むことができる。
【００２８】
いくつかの実施態様では、プラテンの上面が、２叉ファイバの幹線１７２の一端を保持した光学ヘッド１６８がはめ込まれた凹部１２８を含む。光学ヘッド１６８は、幹線１７２の先端と中実の窓１１８との間の垂直距離を調整する機構を含むことができる。
【００２９】
回路１６６の出力は、駆動シャフト１２４上の回転結合器１２９、例えばスリップリングを介して光学モニタシステムのコントローラ１９０に送られるディジタル電子信号とすることができる。同様に、コントローラ１９０から回転結合器１２９を介して光学モニタシステム１６０に送られるディジタル電子信号中の制御コマンドに応答して、光源をオンまたはオフにすることができる。あるいは、回路１６６が、無線信号によってコントローラ１９０と通信することもできる。
【００３０】
光源１６２は、紫外（ＵＶ）、可視または近赤外（ＮＩＲ）光を発射するように動作可能である。光検出器１６４は分光計とすることができる。分光計は、電磁スペクトルの一部分にわたって光の強度を測定する光学機器である。適当な分光計は格子分光計である。分光計の典型的な出力は、波長（または周波数）の関数としての光の強度である。図２は、強度を波長に対して示した測定スペクトルの一例２００を示す。
【００３１】
前述のとおり、光源１６２および光検出器１６４を、コンピューティング装置、例えばコントローラ１９０に接続することができ、このコンピューティング装置は、光源１６２および光検出器１６４の動作を制御し、光源１６２および光検出器１６４から信号を受け取るように動作可能である。このコンピューティング装置は、研磨装置の近くに位置するマイクロプロセッサを含むことができる。このコンピューティング装置は例えばプログラム可能なコンピュータとすることができる。制御に関して、このコンピューティング装置は例えば、光源の作動をプラテン１２０の回転と同期させることができる。コントローラ１９０には、表示装置１９２、例えばＬＥＤスクリーン、ならびにユーザ入力装置１９４、例えばキーボードおよび／またはマウスを接続することができる。
【００３２】
動作時、コントローラ１９０は例えば、光源の特定の発光の間または光検出器の特定の時間フレームの間に光検出器が受け取った光のスペクトルを表す情報を運ぶ信号を受け取ることができる。したがって、このスペクトルは、研磨中にその場で測定されたスペクトルである。
【００３３】
特定の理論に限定されるわけではないが、基板１０から反射される光のスペクトルは、研磨が進むにつれて、最外層の厚さが変化することによって徐々に変化し、したがって時間変化する一連のスペクトルを与える。
【００３４】
光学モニタシステム１６０は、ある測定周波数で測定した一連の測定スペクトルを生成するように構成されている。基板１０と光進入口１０８の間の相対運動によって、それらのスペクトルは、基板１０上の異なる位置で測定される。いくつかの実施態様では、光源１６２によって生成された光線が、（図３の矢印Ｒによって示されているように）プラテン１２０と一緒に回転する１つの点から出現する。図３に示されているように、このような実施態様では、基板１０と光進入口１０８の間の相対運動によって、基板１０を横切るある経路上の複数の位置３００でスペクトルが測定されることがある。
【００３５】
いくつかの実施態様では、プラテンが１回転するごとにスペクトルを１つだけ測定する。さらに、いくつかの実施態様では、光線の発射点が固定されており、光進入口１０８の位置が光線の軸と一致したときにだけ測定が実施される。
【００３６】
後に論じるとおり、この一連のスペクトルは、終点検出またはプロセス制御で使用するスペクトルをそれらのスペクトルの中から選択する選択プロセスにかけられる。一般に、光進入口１０８が基板を横切る１回のスイープ（ｓｗｅｅｐ）の間に測定したスペクトルのうちの全てではない少なくとも１つのスペクトルが選択される。２つ以上のスペクトルを選択する場合には、選択したスペクトルを結合して、後に終点検出アルゴリズムまたはプロセス制御アルゴリズムで使用するスペクトルを提供することができる。
【００３７】
モニタリングの対象基板がパターン形成された基板である場合には、基板上の異なる位置が異なる層スタックに対応する場合がある。異なる層スタックは、上層の厚さの関数として異なるスペクトルを与えると予想される。例えば、同じ厚さの上層であっても、結果として生じるスペクトルが異なることがある。さらに、個々のスペクトルが、異なる層スタックを含む複数の領域からの複数の反射が結合した結果であることもある。
【００３８】
パターン形成された基板の異なる領域からのスペクトルは形状が異なるため、それらのスペクトルを使用すると、終点決定に誤差が生じる可能性がある。また、半導体デバイスの製造業者が、製造している異なるデバイスに対して異なる仕様を有することもある。例えば、いくつかのデバイスに対しては、製造業者が、トレンチ領域で上層の厚さをモニタリングすることを望み、別のデバイスに対しては、製造業者が、フィーチャ（ｆｅａｔｕｒｅ）の密度が高い領域で上層の厚さをモニタリングすることを望むことがある。
【００３９】
このことを考慮するため、測定したスペクトルをさまざまな特徴に基づいて分類し、目的のスペクトルを選択し、選択したスペクトルに基づいて、研磨終点を検出しまたは研磨速度を制御することができる。一般に、このことは、基板の所望の領域からのスペクトルに基づいて、研磨終点の検出または研磨速度の制御を実行することを可能にする。さらに、スペクトルを分類、選択することによって、より正確な終点決定または均一な研磨を達成することができる。
【００４０】
この分類は、以下の技法うちのいずれかの技法を含むことができる。
【００４１】
１）測定スペクトルとベースラインスペクトルの比較
研磨された基板または研磨されていない基板上の特定の領域のベースラインスペクトルを決定することができる。基板のこの特定の領域は、スクライブライン（ｓｃｒｉｂｅ  ｌｉｎｅ）、コンタクトパッド、（ダイの他の部分と比較して）フィーチャの密度が相対的に高いダイの部分、または（ダイの他の部分と比較して）フィーチャの密度が相対的に低いダイの部分に対応することができる。
【００４２】
ベースラインスペクトルは経験的に決定することができる。すなわち、ベースラインスペクトルは、その特定の領域からのスペクトルを、スペクトル測定の位置決めをインシトゥモニタシステム１６０よりも正確に行う計測システム、例えば独立型の計測システムを使用して測定することによって決定することができる。この独立型の計測システムは、インシトゥモニタシステム１６０が測定するスポットよりも小さな基板上のスポットを測定することができる。例えば、この独立型の計測システムは、インシトゥモニタシステム１６０の光線よりも直径の小さな光線を使用することができる。
【００４３】
あるいは、光学モデル、例えばその開示の全体が参照によって組み込まれている米国特許出願第１３／０９６，７７７号に記載されている光学モデルに基づいて、研磨された基板または研磨されていない基板上の特定の領域のベースラインスペクトルを計算することもできる。この光学モデルは、層スタックのそれぞれの層の厚さ、屈折率および吸光係数を含むことができる。この光学モデルはさらに、複数の異なる層スタックの上にまたがる１つの領域からの影響、例えば異なる層スタックからの反射の結合による影響を含むことができる。この場合、その光学モデルは、ダイの中のフィーチャのレイアウトおよび／または基板上のダイのレイアウトの知識に基づくことができる。この光学モデルはさらに、例えばその開示の全体が参照によって組み込まれている米国特許出願第１３／４５６，０３５号に記載されているように、ダイの中のフィーチャの回折の影響を含むことができる。
【００４４】
あるいは、文献からベースラインスペクトルを決定することもできる。
【００４５】
それぞれの測定スペクトルをベースラインスペクトルと比較する。ベースラインスペクトルとの差があるしきい値量よりも小さい測定スペクトルを選択することができる。この測定スペクトルとベースラインスペクトルの比較は、平方和の差、絶対差の和または相互相関とすることができる。平方和の差または絶対差の和の場合、コントローラは、全体の差があるしきい値よりも小さいスペクトルを選択することができ、相互相関の場合、コントローラは、あるしきい値よりも大きな相関を有するスペクトルを選択することができる。
【００４６】
２）測定スペクトル中の特定の特徴の分析
さまざまな特徴の存在または不存在に対して測定スペクトルを分析することができる。例えば、ある特定の波長範囲内にピーク、谷または変曲点の存在または不存在を検出することに基づいてスペクトルを選択することができる。この特定の波長範囲は、モニタリングアルゴリズムにおいて測定されかつ／または使用される波長範囲の（全体ではない）サブセットである。他の例として、あるレベルよりも上の大きさを持ったピークまたはあるレベルよりも下の大きさを持った谷の存在または不存在の検出に基づいてスペクトルを選択することもできる。他の例として、幅がある特定の範囲内にあるピークまたは谷の存在または不存在に基づいてスペクトルを選択することもできる。他の例として、ある特定の範囲内のある波長距離だけ分離されたピークまたは谷の存在または不存在の検出に基づいてスペクトルを選択することもできる。
【００４７】
さまざまな特徴の存在または不存在に基づいてスペクトルを選択するこれらの基準は、計算、経験的な観察または文献からの知識に基づいて構築することができる。
【００４８】
３）一連の測定スペクトルのうちの以前の測定スペクトルに対する測定スペクトルの分析
一連の測定スペクトルのうちの以前の測定スペクトルと比較したときのさまざまな特徴の存在または不存在に対して測定スペクトルを分析することができる。例えば、以前の測定スペクトルに比べて測定スペクトルのピークまたは谷が、ある所定の範囲内のある量だけ移動したことの検出に基づいてスペクトルを選択することができる。他の例として、以前の測定スペクトルに比べて複数のピークまたは谷が同じ方向へ移動したことの検出に基づいてスペクトルを選択することもできる。
【００４９】
以前の測定スペクトルと比較したときの変化に基づいてスペクトルを選択するこれらの基準は、計算、経験的な観察または文献からの知識に基づいて構築することができる。
【００５０】
４）ダイの中のスペクトル測定位置の分析
例えば参照によって組み込まれている米国特許出願第１３／５５２，３７７号に記載されているようにして基板の角度位置を決定することができる場合には、ダイの中の相対的な測定位置を計算することができる。この計算されたダイの中の測定位置に基づいてスペクトルを選択することができる。
【００５１】
測定スペクトルが選択されたかどうかを決定する前に、そのスペクトルを変更することができる。例えば、より小さなビーム直径を有する分光計による測定などのオフライン（ｏｆｆｌｉｎｅ）測定、あるいは異なるタイプの分光計による測定またはパブリックドメインもしくは文献内の測定に基づいて、測定スペクトルからスペクトル特徴を除去することができる。１つまたは複数の背景スペクトルを測定スペクトルから差し引くことができる。それぞれの背景スペクトルは、より小さなビーム直径を有する分光計を使用した測定などのオフライン測定、あるいは異なるタイプの分光計による測定またはパブリックドメインもしくは文献内の測定に基づくことができる。
【００５２】
ある測定スペクトルを選択した後、あるモニタリング技法を使用して、スペクトルから値を生成することができる。その一方で、選択されなかったスペクトルは値の生成には使用されず、終点検出の計算またはプロセス制御の計算から除外される。選択されたスペクトルを値に変換する目的にはさまざまなモニタリング技法を使用することができる。
【００５３】
１つのモニタリング技法は、測定スペクトルごとに、参照スペクトルのライブラリの中からマッチする参照スペクトルを識別する技法である。ライブラリの中のそれぞれの参照スペクトルは、関連する特性値、例えば厚さ値、またはその参照スペクトルが生成されると予想されるプラテンの回転時間または回転数を示す索引値を有することができる。マッチする参照スペクトルごとに関連する特性値を決定することによって、時間変化する一連の特性値を生成することができる。この技法は、参照によって組み込まれている米国特許出願公開第２０１０−０２１７４３０号に記載されている。他のモニタリング技法は、測定スペクトルのスペクトル特徴の特性、例えば測定スペクトルのピークまたは谷の波長または幅を追跡する技法である。測定スペクトルのスペクトル特徴の波長値または幅値は、時間変化する一連の値を提供する。この技法は、参照によって組み込まれている米国特許出願公開第２０１１−０２５６８０５号に記載されている。他のモニタリング技法は、一連の測定スペクトルのそれぞれの測定スペクトルに光学モデルを当てはめる技法である。具体的には、その光学モデルがその測定スペクトルに最も良く当てはまるように、そのモデルのパラメータを最適化する。それぞれの測定スペクトルに対して生成されるパラメータ値は、時間変化する一連のパラメータ値を生成する。この技法は、参照によって組み込まれている２０１２年３月８日に出願された米国特許出願第６１／６０８，２８４号に記載されている。他のモニタリング技法は、それぞれの測定スペクトルのフーリエ変換を実行して、変換された一連のスペクトルを生成する技法である。変換されたスペクトルのピークのうちの１つのピークの位置を測定する。それぞれの測定スペクトルに対して生成された位置値は、時間変化する一連の位置値を生成する。この技法は、参照によって組み込まれている２０１２年４月２３日に出願された米国特許出願第１３／４５４，００２号に記載されている。
【００５４】
基板の単一のゾーンだけに対する結果を示す図４を参照すると、時間変化する一連の値２１２が示されている。この一連の値をトレース２１０と呼ぶことがある。回転するプラテンを備える研磨システムでは一般に、トレース２１０が、基板の下での光学モニタシステムのセンサの１スイープあたり１つの値、例えば正確に１つの値を含むことができる。基板上の複数のゾーンをモニタリングしている場合には、１ゾーンにつき１スイープあたり１つの値を含むことができる。１つのゾーン内での複数の測定を結合して、終点の検出および／または圧力の制御に使用する単一の値を生成することができる。しかしながら、センサの１スイープあたり２つ以上の値を生成することも可能である。
【００５５】
研磨操作を開始する前に、ユーザまたは機器の製造業者は、時間変化する一連の値２１２に当てはめる関数２１４を定義することができる。例えば、その関数は多項式関数、例えば線形関数であることができる。具体的には、コントローラ１９０は、表示装置１９２上にグラフィカル・ユーザ・インターフェースを表示することができ、ユーザは、ユーザ入力装置１９４を使用してユーザ入力関数２１４を入力することができる。
【００５６】
図５に示されているように、関数２１４は、一連の値２１２に当てはめられている。一般化された関数をデータに当てはめる技法は複数存在する。多項式などの線形関数に対しては一般線形最小２乗法を使用することができる。
【００５７】
任意選択で、時刻ＴＣの後に集められた値に関数２１４を当てはめることができる。この一連の値に関数を当てはめるときには時刻ＴＣよりも前に集めた値は無視することができる。例えば、こうすることが、研磨プロセスの初期に生じうる測定スペクトル中の雑音の排除に役立つことがあり、または、こうすることによって、別の層の研磨中に測定されたスペクトルを除去することができる。関数２１４がターゲット値ＴＴに等しい値をとる終点時刻ＴＥに研磨を停止することができる。
【００５８】
図６は、製品基板を研磨する方法７００の流れ図を示す。製品基板を研磨し（ステップ７０２）、インシトゥモニタシステムによって一連の値を生成する（ステップ７０４）。例えば、このインシトゥモニタシステムは、一連のスペクトルを集め（ステップ７０６ａ）、例えば前述の技法のうちのいずれかの技法を使用してこの一連のスペクトルからスペクトルを選択し（ステップ７０６ｂ）、例えばやはり前述の技法のうちのいずれかの技法を使用して、選択した一連のスペクトルから一連の値を抽出する（ステップ７０６ｃ）ことができる。その一連の値にユーザ定義関数を当てはめる（ステップ７０８）。
【００５９】
ユーザ定義関数がターゲット値に等しい値をとる時刻は計算によって求めることができる。ユーザ定義関数がターゲット値に等しい値をとる時刻に研磨を停止することができる（ステップ７１０）。例えば、厚さが終点パラメータである状況では、ユーザ定義関数がターゲット厚さに等しい値をとる時刻を計算によって求めることができる。ターゲット厚さＴＴは研磨操作の前にユーザが設定し、記憶しておくことができる。あるいは、ターゲット除去量をユーザが設定し、そのターゲット除去量からターゲット厚さＴＴを計算することもできる（図５参照）。
【００６０】
他の実施態様では、測定スペクトルを複数のグループに分類する。それらの異なる複数のグループは、ダイの中の異なる領域、例えばスクライブライン、コンタクトパッド、フィーチャの密度が高い領域またはフィーチャの密度が低い領域を表すことがある。それらの複数のグループのうちの単一のグループに測定スペクトルを割り当てることができる。
【００６１】
この分類は、前述の選択手順のうちのいずれかの手順を使用した一連の選択ステップによって実行することができる。いくつかの実施態様では、測定スペクトルが第１の選択基準を満たすかどうかをコントローラが決定する。その測定スペクトルが第１の選択基準を満たす場合、その測定スペクトルは第１のグループに割り当てられる。測定スペクトルが第１の選択基準を満たさない場合、コントローラは、その測定スペクトルが第２の選択基準を満たすかどうかを決定することができる。その測定スペクトルが第２の選択基準を満たす場合、その測定スペクトルは第２のグループに割り当てられる。
【００６２】
例えば、コントローラは、測定スペクトルを第１のベースラインスペクトルと比較することができる。測定スペクトルと第１のベースラインスペクトルとの差があるしきい値量よりも小さい場合には、その測定スペクトルを第１のグループに割り当てることができる。その測定スペクトルと第１のベースラインスペクトルとの類似性が十分でない場合には、その測定スペクトルを、異なる第２のベースラインスペクトルと比較することができる。その測定スペクトルと第２のベースラインスペクトルとの差があるしきい値量よりも小さい場合には、その測定スペクトルを第２のグループに割り当てることができる。しかしながら、以下のような選択手順の他の多くの組合せが可能である：測定スペクトルとベースラインスペクトルを比較し、次いで測定スペクトル中の特定の特徴を分析する、またはその逆；測定スペクトル中の第１の特徴の存在または不存在を決定し、次いで測定スペクトル中の異なる第２の特徴の存在または不存在を決定する；一連の測定スペクトルのうちの以前の測定スペクトルに対して測定スペクトルを分析し、次いで測定スペクトルとベースラインスペクトルを比較するか、もしくは測定スペクトルのさまざまな特徴中の特定の特徴を分析する、またはその逆。測定スペクトルを複数のグループに分類する選択技法の他の組合せも可能である。
【００６３】
異なるグループの測定スペクトルに対して異なるモニタリング技法を使用することができる。一例として、第１のグループの測定スペクトルに対しては、参照スペクトルの第１のライブラリの中からマッチする第１の参照スペクトルを識別することができ、第２のグループの測定スペクトルに対しては、異なる参照スペクトルの第２のライブラリの中からマッチする第２の参照スペクトルを識別することができる。他の例として、第１のグループの測定スペクトルに対しては、参照スペクトルのライブラリの中からマッチする参照スペクトルを識別することができ、第２のグループの測定スペクトルに対しては、スペクトル特徴の特性を追跡することができる。他の例として、第１のグループの測定スペクトルに対しては、第１のスペクトル特徴の第１の特性を追跡することができ、第２のグループの測定スペクトルに対しては、異なる第２のスペクトル特徴の第２の特性を追跡することができる。他の例として、第１のグループの測定スペクトルに対しては、それぞれの測定スペクトルに光学モデルを当てはめることができ、第２のグループの測定スペクトルに対しては、参照スペクトルのライブラリの中からマッチする参照スペクトルを識別するか、またはスペクトル特徴の特性を追跡することができる。他の例として、第１のグループの測定スペクトルに対しては、それぞれの測定スペクトルに第１の光学モデルを当てはめることができ、第２のグループの測定スペクトルに対しては、それぞれの測定スペクトルに異なる第２の光学モデルを当てはめることができる。
【００６４】
スペクトルの複数のグループに対して異なるモニタリング技法を使用した結果、複数組の一連の値、例えばスペクトルの１つのグループにつき１組の一連の値が得られることがある。研磨終点の検出または研磨パラメータの変更は、これらの複数組の一連の値に基づくことができる。例えば、研磨終点の検出またはパラメータの制御は、雑音が最も少ない一連の値、例えばある関数に対して最も良く当てはまる一連の値に基づくことができる。研磨終点の検出またはパラメータの制御は、全てのグループに対して検出された終点、またはいずれかのグループに対して検出された第１の終点に基づくことができる。
【００６５】
また、基板の異なるゾーンに対する一連の値を生成し、異なるゾーンからのそれらの一連の値を使用して、より均一な研磨を提供するように、キャリアヘッドのチャンバに加える圧力を、例えば参照によって本明細書に組み込まれている米国特許出願第１３／０９６，７７７号に記載されている技法（一般に、類似の技法を使用するために位置値を索引値と置換することができる）を使用して調整することも可能である。いくつかの実施態様では、その一連の値を使用して、基板の１つまたは複数のゾーンの研磨速度を調整するが、研磨終点を検出する目的には、別の他のインシトゥモニタシステムまたは技法が使用される。
【００６６】
また、上記の議論は、インシトゥモニタシステムのセンサが内部に取り付けられた回転するプラテンを仮定しているが、システムを、モニタシステムのセンサと基板の間の他のタイプの相対運動に対して適用可能とすることもできる。例えば、いくつかの実施態様、例えば軌道運動では、センサが、基板上の異なる位置を横切るが、基板の縁は横切らない。このような場合には、ある周波数、例えば１Ｈｚ以上の周波数で測定値を集めることができる。
【００６７】
本明細書で使用されるとき、用語「基板」は、例えば（複数のメモリダイまたはプロセッサダイを含む）製品基板、試験基板、裸基板およびゲーティング基板を含むことができる。基板は、集積回路製造のさまざまな段階にある基板とすることができる。例えば、基板は裸ウエハであることができ、または堆積させかつ／もしくはパターン形成した１つもしくは複数の層を含むことができる。用語「基板」は、円形の円盤および長方形の薄板を含むことができる。
【００６８】
本明細書に記載された本発明の実施形態および全ての関数演算は、ディジタル電子回路、または本明細書に開示された構造手段およびそれらの構造手段と等価の構造体を含むコンピュータソフトウェア、ファームウェアもしくはハードウェア、あるいはこれらの組合せで実現することができる。本発明の実施形態は、１つまたは複数のコンピュータプログラム製品、すなわち、機械可読の非一時的記憶媒体内に実際に具体化された１つまたは複数のコンピュータプログラムであって、データ処理装置、例えばプログラム可能なプロセッサ、コンピュータ、複数のプロセッサまたは複数のコンピュータによって実行される１つまたは複数のコンピュータプログラム、あるいはこのようなデータ処理装置の動作を制御する１つまたは複数のコンピュータプログラムとして実現することができる。
【００６９】
以上に説明した研磨装置および研磨方法は、さまざまな研磨システムにおいて使用することができる。研磨面と基板の間の相対運動を提供するために、研磨パッドもしくはキャリアヘッドまたはその両方が移動することができる。例えば、プラテンは、回転するのではなしに、軌道を描いて旋回してもよい。研磨パッドは、プラテンに固定された円形の（または他の形状の）パッドとすることができる。上記の終点検出システムのいくつかの態様を、直線研磨システム、例えば研磨パッドが直線的に移動する連続ベルトまたはリール−リールベルトである直線研磨システムに対して使用することができる。研磨層は、標準（例えば充填材を含みまたは含まないポリウレタン）研磨材料、軟質材料または研磨材が固定された材料とすることができる。相対的な位置決めの用語が使用されるが、研磨面および基板は、垂直方向にまたは別のある方向に保持することができることを理解すべきである。
【００７０】
以上に、本発明の特定の実施形態を記載した。他の実施形態は、以下の特許請求の範囲に記載されている。
【符号の説明】
【００７１】
１０    基板
１００    研磨装置
１０８    光進入口
１１０    研磨パッド
１１２    研磨層
１１４    バッキング層
１１８    中実の窓
１２０    プラテン
１２１    モータ
１２４    駆動シャフト
１２５    軸
１２８    プラテンの凹部
１２９    回転結合器
１３０    ポート
１３２    研磨液
１４０    キャリアヘッド
１４２    保持リング
１４４    柔軟な膜
１４６ａ    独立に制御可能な加圧可能チャンバ
１４６ｂ    独立に制御可能な加圧可能チャンバ
１４６ｃ    独立に制御可能な加圧可能チャンバ
１５０    支持構造体（カルーセルまたはトラック）
１５２    駆動シャフト
１５４    キャリアヘッド回転モータ
１５５    軸
１６０    インシトゥ光学モニタシステム
１６２    光源
１６４    光検出器
１６６    信号をやり取りするための回路
１６８    光学ヘッド
１７０    ２叉光ファイバ
１７２    幹線
１７４    枝線
１７６    枝線
１９０    コントローラ
１９２    表示装置
１９４    ユーザ入力装置
２００    測定スペクトル
２１０    トレース
２１２    時間変化する一連の値
２１４    関数
３００    基板を横切る経路上の複数の位置
７００    製品基板を研磨する方法の流れ図
【図１】
2014086733.tif 000003
【図２】
2014086733.tif 000004
【図３】
2014086733.tif 000005
【図４】
2014086733.tif 000006
【図５】
2014086733.tif 000007
【図６】
2014086733.tif 000008
【外国語明細書】
2014086733000001.pdf
2014086733000002.pdf
2014086733000003.pdf
2014086733000004.pdf